(57)【特許請求の範囲】
【請求項１】
原稿面上に無調節の光を照射する照明手段と、
この原稿面により反射された光を１ラインづつ光蓄積時間毎に蓄積して主走査方向の電気信号に変換する光電変換手段と、
前記照明手段および光電変換手段を前記原稿面に対して副走査方向に指定された移動速度で移動させる移動手段と、
前記光電変換手段により変換された電気信号を指定されたゲインで増幅する増幅手段と、
この増幅手段により増幅された電気信号をデジタルデータに変換するＡ／Ｄ変換手段と、
原稿読取速度を指定する操作手段と、
を備えた画像読取装置であって、
前記操作手段により指定された読取速度に応じて、前記移動手段の移動速度、前記光電変換手段の光蓄積時間、前記増幅手段のゲインを調整して、前記増幅手段の出力が原稿の光学濃度の所定値に対応する値未満の場合は、前記所定値に対応する処理値を出力するように制御する制御手段とを有することを特徴とする画像読取装置。
【請求項２】
前記制御手段は、前記増幅手段のオフセットを調整してその出力を前記Ａ／Ｄ変換手段のダイナミックレンジに対して最適化するように制御することを特徴とする請求項１記載の画像読取装置。
【請求項３】
プリスキャン時の画像データに基づいて、読取濃度の出現度合いを表すヒストグラムを生成するヒストグラム生成手段と、
このヒストグラム生成手段により生成されたヒストグラムを記憶するヒストグラム記憶手段とを備え、
前記制御手段は、
プリスキャン時に得られたヒストグラム中の高濃度領域の光学濃度に基づいて、原稿の読取速度を可変になるように制御することを特徴とする請求項１記載の画像読取装置。
【請求項４】
前記制御手段は、
プリスキャン時に得られたヒストグラム中に原稿の高濃度領域が出現しない場合、または、高濃度領域が文字・線画像のみと判定した場合には、原稿の光学濃度を制限すべきオフセット値を判別して前記増幅手段に設定し、原稿の読取速度を可変になるように制御することを特徴とする請求項３記載の画像読取装置。
【請求項５】
前記制御手段は、
プリスキャン時に得られたヒストグラム中に原稿の高濃度領域が出現しない場合、または、高濃度領域が文字・線画像のみと判定した場合には、このヒストグラム中の最大値、最小値に基づいて、前記増幅手段のオフセット及びゲインを調整し、Ａ／Ｄ変換時のダイナミックレンジを拡張し、原稿の読取速度を可変になるように制御することを特徴とする請求項３記載の画像読取装置。
【発明の詳細な説明】
【０００１】
【発明の属する技術分野】
本発明は、無調整の照明を用いても、原稿を高速に読取ることができる画像読取装置に関する。
【０００２】
【従来の技術】
従来の画像読取装置としては、特開平６−２５３１４９号公報記載の「階調画像読取装置」が報告されている。
このものは、プリスキャン時に得られた画像データのヒストグラム、または、原稿上に照射される光の明るさを検出するためのセンサにより、光量調整、または、光蓄積時間を制御して光蓄積量を決定し、本スキャン時に画像データを得るようにしていた。
【０００３】
また、特開平８−２７９９１０号公報記載の「画像読取装置」が報告されている。このものは、プリスキャン時に得られた画像データのヒストグラムを作成し、その最大値・最小値に基づいて光量、ゲインを調整し、プリスキャン時の階調特性とヒストグラムに基づいて、階調変換テーブル（γ変換テーブル）を決定して本スキャン時の画像データを得るようにしている。
【０００４】
さらに、特開平９−３０７７７４号公報記載の「カラー画像読取方法、カラー画像読取装置およびカラー画像読取システム」が報告されている。
このものは、プリスキャン時に得られたγ補正後の画像データに基づいて、γ変換テーブル、光量を決定し、本スキャン時に画像データを得るようにしている。
【０００５】
このように、従来の画像読取装置においては、いずれも光量を制御して、階調性の非常に高い画像データを得ることができるという利点を有していた。
【０００６】
【発明が解決しようとする課題】
しかしながら、特開平８−２７９９１０号公報および特開平９ー３０７７７４号公報に記載されたものは、光量及びγ変換テーブルのみを制御するものであり、読取速度の向上に寄与するものではなかった。
また、特開平６ー２５３１４９号公報に記載されたものは、光蓄積時間の制御も行うので、光源の光量に余裕のある場合には原稿の読取速度を向上することができるものである。
【０００７】
しかしながら、光量が不足する場合には原稿の読取速度を向上することはできない。一般に普及されている反射型の画像読取装置は、キセノンランプ、蛍光灯、冷陰極管、ＬＥＤ等を光源として用いており、読取速度はイメージセンサの周波数特性で決定するのではなく、照明光量とセンサ感度の関係で決定している。この場合、照明光量が不足するので、照明光量の不足分を補うように速度設定がなされ、センサの光蓄積時間を上限として数分の１程度の速度で動作させているものが多い。
【０００８】
また、従来の画像読取装置では、光量が不足してくると暗部のべた画像にノイズが目立つようになる。特に、ＣＣＤセンサやＭＯＳセンサではある一定以上の光蓄積量がないと階調特性が悪化する。例えば、ＭＯＳセンサではγ特性が下に凸になる度合いが大きくなる。そこで、光蓄積量（光容積時間×光量）を大きくするには、照明光量を上げるか、光蓄積時間を大きくするために、読取速度を遅くする必要があった。
【０００９】
本発明は、上記に鑑みてなされたもので、その目的としては、上記のような無調整の照明を用いても、原稿を高速に読取ることができる画像読取装置を提供することにある。
【００１０】
【課題を解決するための手段】
請求項１記載の発明は、上記課題を解決するため、原稿面上に無調節の光を照射する照明手段と、この原稿面により反射された光を１ラインづつ光蓄積時間毎に蓄積して主走査方向の電気信号に変換する光電変換手段と、前記照明手段および光電変換手段を前記原稿面に対して副走査方向に指定された移動速度で移動させる移動手段と、前記光電変換手段により変換された電気信号を指定されたゲインで増幅する増幅手段と、この増幅手段により増幅された電気信号をデジタルデータに変換するＡ／Ｄ変換手段と、原稿読取速度を指定する操作手段と、を備えた画像読取装置であって、前記操作手段により指定された読取速度に応じて、前記移動手段の移動速度、前記光電変換手段の光蓄積時間、前記増幅手段のゲインを調整して、原稿の光学濃度の所定値に対応する値未満の場合は、前記所定値に対応する処理値を出力するように制御する制御手段とを有することを要旨とする。
【００１１】
請求項２記載の発明は、上記課題を解決するため、前記制御手段は、前記制御手段は、前記増幅手段のオフセットを調整してその出力を前記Ａ／Ｄ変換手段のダイナミックレンジに対して最適化するように制御することを要旨とする。
【００１２】
請求項３記載の発明は、上記課題を解決するため、プリスキャン時の画像データに基づいて、読取濃度の出現度合いを表すヒストグラムを生成するヒストグラム生成手段と、このヒストグラム生成手段により生成されたヒストグラムを記憶するヒストグラム記憶手段とを備え、前記制御手段は、プリスキャン時に得られたヒストグラム中の高濃度領域の光学濃度に基づいて、原稿の読取速度を可変になるように制御することを要旨とする。
【００１３】
請求項４記載の発明は、上記課題を解決するため、前記制御手段は、プリスキャン時に得られたヒストグラム中に原稿の高濃度領域が出現しない場合、または、高濃度領域が文字・線画像のみと判定した場合には、原稿の光学濃度を制限すべきオフセット値を判別して前記増幅手段に設定し、原稿の読取速度を可変になるように制御することを要旨とする。
【００１４】
請求項５記載の発明は、上記課題を解決するため、前記制御手段は、プリスキャン時に得られたヒストグラム中に原稿の高濃度領域が出現しない場合、または、高濃度領域が文字・線画像のみと判定した場合には、このヒストグラム中の最大値、最小値に基づいて、前記増幅手段のオフセット及びゲインを調整し、Ａ／Ｄ変換時のダイナミックレンジを拡張し、原稿の読取速度を可変になるように制御することを要旨とする。
【００１５】
【発明の実施の形態】
以下、本発明の実施の形態を図面を参照して説明する。
（第１の実施の形態）
図１は、本発明の第１の実施の形態に係る画像読取装置１の構成を示す図である。
図１に示すように、原稿３と、光源部５と、イメージセンサ７と、走行制御部９と、増幅器１１と、Ａ／Ｄ変換器１３と、シェーディング補正部１５と、γ変換部１７と、操作部１９と、スキャナ制御部２１とから構成されている。
【００１６】
原稿３は、透明なガラス板からなる原稿台上に読み取りに先立って置かれており、画像や文字等が描かれている原稿面が光源部５およびイメージセンサ７側に向けられている。
光源部５は、キセノンランプ、蛍光灯、冷陰極管、ＬＥＤ等による無調節光を用いている。イメージセンサ７は、ＣＣＤ等の電荷蓄積型のラインセンサから構成され、光源からの光が原稿３に照射され原稿３により反射された光像の１ライン分が光電変換されて光蓄積時間毎に電荷として蓄積され、１ライン毎に順次に電気信号として増幅器１１に出力される。
【００１７】
走行制御部９は、イメージセンサ７と光源部５を原稿３の原稿面に沿って１ライン毎に指定された移動速度で走行して副走査する。増幅器１１は、例えばオペアンプ回路からなり、イメージセンサ７から出力された電気信号を指定されたゲインに応じて増幅する。Ａ／Ｄ変換器１３は、増幅器１１から出力された電気信号が指定された基準電圧より上方レンジの場合にこれをディジタルデータにＡ／Ｄ変換して量子化する。
【００１８】
シェーディング補正部１５は、１ライン分の補正値データを予め記憶しておき、Ａ／Ｄ変換されたディジタルデータから補正値データを引いて、イメージセンサ７の光電素子毎の感度ばらつきを補正する。
γ変換部１７は、スキャナ制御部２１に予め記憶されているγ変換テーブルの値を用いてディジタルデータをγ変換し、画像データを出力する。
【００１９】
スキャナ制御部２１は、ＣＰＵ、ＲＯＭ、ＲＡＭ等を有するマイクロコンピュータ、タイミング回路、基準電圧出力回路等から構成されており、読取原稿の光学濃度を絞って、読取速度を可変に設定するために、ＲＯＭに記憶されている制御プログラムに従って、操作部１９でユーザにより指定された走査速度に応じて走行制御部９に副走査速度を設定し、ライン周期毎にイメージセンサ７の光電変換を制御し、増幅器１１の増幅ゲインを設定し、さらに、Ａ／Ｄ変換器１３に基準電圧を設定することで装置全体を制御する。
【００２０】
次に、図１に示す本実施の形態に係る画像読取装置１に採用される光学濃度と読取速度の関係について説明する。まず、一般に用いられている反射型の画像読取装置では、光学濃度ＯＤが１．８〜２．０の原稿まで読取ることができるように構成されている。
【００２１】
原稿３が、暗部の画像領域がない画像及び文字・線画像のみ黒で他は明るめの色の画像の場合には、光学濃度ＯＤのある値以下については一律にこのある値とみなして、ある値以上を階調処理対象とするようにしても、すなわち、前記ある値を（階調）処理後最小値として読取画像をデータ化しても問題はない。または、暗部の画像領域がつぶれてもいい場合には、同様にして光学濃度ＯＤのある値を（階調）処理後最小値とすれば、ノイズは目立たなくなる。以下では、上記のように（階調）処理後最小値を設定してデータ化を行うことを“光学濃度ＯＤを絞る”、あるいは“光学濃度ＯＤを制限する”と言うものとする。
【００２２】
そこで、光学濃度ＯＤ＝１．０（反射率ｒ＝０．１）で画像データを切り取った後に、光学濃度ＯＤ＝２．０（反射率ｒ＝０．０１）でも、良好な画像データが得られる場合には、１０倍の速度で光電変換して読み取っても光学濃度ＯＤ＝１．０の部分は同様の画像データが得られるので、イメージセンサ７や光源部５及び走行制御部９を高速に移動可能に構成すれば、例えば１０倍の速度で原稿を読取ることができる。
【００２３】
また、光学濃度ＯＤ＝１．８（ｒ＝０．０１６）〜２．０の範囲で良好な画像データが得られる原稿に対しては、通常動作時のＳ／Ｎ比にも依存するので１倍速、光学濃度ＯＤ＝１．５（ｒ＝０．０３）で２倍速、光学濃度ＯＤ＝１．０で４倍速程度の読取速度に設定するのが適切である。
【００２４】
次に、図２を参照して、図１に示す画像読取装置１の動作を説明する。まず、操作部１９には、ユーザによる指定速度範囲として標準から４倍速程度までの速度範囲を設けておき、その指定値をｍとする。スキャナ制御部２１は、操作部１９から指定値ｍを受け取ると、光電変換ゲインをこの指定値ｍに変更するために、増幅器１１にゲインｍを設定して指定する。
【００２５】
そして、スキャナ制御部２１は、図２に示すように、増幅器１１にゲインｍを設定したときに得られる飽和光量を基準にしたγ変換テーブルを内部ＲＯＭから読み出しγ変換部１７の内部ＲＡＭに設定する。具体的には、γ変換部１７に設定される標準読取時のγ変換テーブルの反射率ｒの分解能をｍ倍にしておき、その一部を用いてγ変換テーブルを生成する。または、標準読取時のγ変換テーブルの反射率ｒから内挿法に基づいて、分解能がｍ倍時のγ変換テーブルを生成する。但し、分解能がｍ倍に対応する光学濃度ＯＤには制限があるので、図２に示すように、この制限に対応した反射率ｒ以下は全て最小値とする。
【００２６】
そして、スキャナ制御部２１は、内部のタイミング回路に対して、イメージセンサ７のライン周期に対応する光蓄積時間を標準時の１／ｍに設定し、イメージセンサ７に順次に出力するように設定する。また、イメージセンサ７の駆動クロックは、１ラインの画素数分の期間が１ライン周期分より小さければよいので、指定値ｍの設定範囲に応じたクロック周波数の設定が可能なようにクロック周波数切替回路をこのタイミング回路内に用意すればよい。
さらに、スキャナ制御部２１は、走行制御部９に対して標準読取時のｍ倍の速度で走行するように移動速度を設定する。
【００２７】
このように、スキャナ制御部２１は、操作部１９を用いてユーザが指定した指定値ｍに応じて、画像読取装置１の各部を上述したように設定するので、原稿面上に無調節の光を光源部５から照射された場合、イメージセンサ７では、この原稿面により反射された光を１ライン毎に指定された光蓄積時間Ｔ／ｍ毎に主走査して電気信号に光電変換する。そして、増幅器１１では、イメージセンサ７により光電変換された電気信号を指定されたゲインｍに応じて増幅する。そして、Ａ／Ｄ変換器１３では、増幅器１１により増幅された電気信号を指定された基準電圧以上のダイナミックレンジ内でデジタルデータに変換する。そして、シェーディング補正部１５では、１ライン分の補正値データを予め記憶しておき、Ａ／Ｄ変換されたディジタルデータから補正値データを引いて、イメージセンサ７の光電素子毎の感度ばらつきを補正する。そして、γ変換部１７では、スキャナ制御部２１に予め記憶されているγ変換テーブルの値を用いてディジタルデータをγ変換し、画像データを出力する。さらに、走行制御部９では、イメージセンサ７と光源部５を原稿３の原稿面に沿って１ライン毎に指定された移動速度で走行して順次に副走査し、原稿３を１枚分だけ読取る。
【００２８】
従って、イメージセンサ７により読取られた原稿３の光学濃度ＯＤを絞り、光電変換時のゲインを調節して読取速度を可変にすることができる。この結果、ユーザが指定した読取速度に従って、光学濃度ＯＤを制限して原稿を読取ることができ、ノイズの発生が少ない高速読取を行うことができる。
【００２９】
（第２の実施の形態）
図３は、本発明の第２の実施の形態に係る画像読取装置２１の構成を示す図である。図３に示す構成要素のうち図１に示す構成と同様のものには同一番号を付与し、その構成の説明を省略する。
【００３０】
第１の実施の形態では、光学濃度ＯＤを制限していたので、光学濃度ＯＤに対応した反射率ｒ以下ではＡ／Ｄ変換が可能なダイナミックレンジが無駄に使用されていた。
そこで、第２の実施の形態では、スキャナ制御部３９は、増幅器３３のオフセット及びゲインを制御し、Ａ／Ｄ変換器３５によるＡ／Ｄ変換が可能なダイナミックレンジを反射率ｒから上限まで拡張し、増幅器３３から入力される電気信号に対してＡ／Ｄ変換する。
【００３１】
増幅器３３のオフセットは、標準読取時の光学濃度ＯＤの制限に対応した反射率ｒを考え、出力値ｏｆｓと等価な電圧に下げるように設定すればよい。また、増幅器３３のゲインｇは、Ａ／Ｄ変換器３５の出力最大値をｋとすると、
ｇ＝ｍ×（ｋ／（ｋ−ｏｆｓ））
にすれば、図４に示すように、白レベルＷが最大値ｋの近傍になる。なお、スキャナ制御部３９では、増幅器３３にオフセット及びゲインの電圧を制御する。
そして、スキャナ制御部３９では、シェーディング補正部３７に指定するシェーディング補正の白基準データＷは、フルレンジ読取時の白補正データＷとオフセットｏｆｓに基づいて、
ｗ＝（Ｗ−ｏｆｓ）×ｇ
として生成する。
【００３２】
このように、第１の実施の形態に加えて、実質的なＡ／Ｄ変換時のダイナミックレンジを拡張して、Ａ／Ｄ変換時の階調分解能を向上するので、連続階調変化（グラデーシヨン）領域に対して擬輪郭が発生することを抑制することができる。この結果、光学濃度ＯＤの制限に対応したＡ／Ｄ変換時のダイナミックレンジを拡張でき、階調性の向上したノイズの発生が少ない状態で高速読取を行うことができる。
【００３３】
（第３の実施の形態）
図５は、本発明の第３の実施の形態に係る画像読取装置３１の構成を示す図である。図５に示す構成要素のうち図３に示す構成と同様のものには同一番号を付与し、その構成の説明を省略する。
第１及び第２の実施の形態では、操作部１９によりユーザが速度指定をする必要があったが、第３の実施の形態では、プリスキャン時に得られる画像データのヒストグラムを利用して、光学濃度ＯＤの設定すべき値を求めて速度制御を行うことで、ユーザによる速度の指定を省くことにする。
【００３４】
スキャナ制御部３９では、まず、プリスキャン時に得られる画像データに基づいて、原稿３の読取濃度のヒストグラムを生成してヒストグラム記憶部５３に記憶しておく。
ここで、ヒストグラム記憶部５３に記憶されたヒストグラム中に高濃度領域を判別し、上述したように、光学濃度ＯＤ＝１．８（ｒ＝０．０１６）〜２．０の範囲では、１倍の読取速度、光学濃度ＯＤ＝１．５（ｒ＝０．０３）で２倍の読取速度、光学濃度ＯＤ＝１．０（反射率ｒ＝０．１）で４倍の読取速度に設定するのが適切である。
一方、図６に示すように、高濃度領域が存在しない場合には、最小値ｏｆｓにより光学濃度ＯＤを制限すればよい。
【００３５】
ヒストグラム記憶部５３に記憶されたヒストグラム中に、図７に示すように、文字・線画像（イ）とは別の高濃度領域が存在しない場合には、文字・線画像部分（イ）を除く領域の最小値ｏｆｓにより光学濃度ＯＤを制限すればよい。具体的には、図７に示すように、ある濃度ｏｆｓ以下の頻度がｘ以下の領域（ロ）には階調性画像はないと判断し、得られたオフセット最小値ｏｆｓをオフセットとして増幅器３３に設定すればよい。
【００３６】
このように、第２の実施の形態に加えて、プリスキャン時に得られた画像データのヒストグラムに基づいて、光学濃度ＯＤの制限すべきオフセットを判別して増幅器に自動設定できるので、ユーザによる読取速度の指定を省くことができ、ノイズの発生が少ない状態で高速読取を行うことができる。
【００３７】
（第４の実施の形態）
本発明の第４の実施の形態に係る画像読取装置の構成は、図５に示す第３の実施の形態に係る画像読取装置の構成と同様であるので、その説明を省略する。
第２及び第３の実施の形態では、図８に示すように、白側のＡ／Ｄ変換のダイナミックレンジ（ハ）を拡張しなかったが、第４の実施の形態では、プリスキャン時に得られる画像データのヒストグラムを利用して、光学濃度ＯＤの最大値を検出できるので、スキャナ制御部３９は、光学濃度ＯＤの最大値までをＡ／Ｄ変換のダイナミックレンジになるように増幅器３３のオフセット及びゲインを調整すればよい。
【００３８】
標準読取時との読取速度比ｍは、標準読取時の対象光学濃度ＯＤ（１．８〜２．０程度）の反射率ｒ（０．０１６〜０．０１）と上記光学濃度ＯＤに対応する反射率の比である。
増幅器３３のオフセットは、標準読取時の光学濃度ＯＤの制限に対応した反射率ｒを考え、出力値ｏｆｓと等価な電圧に下げるように設定すればよい。
増幅器３３のゲインｇは、Ａ／Ｄ変換器３５が出力可能な最大値をｋ、検出した最大値をｊとすると、
ｇ＝ｍ×（ｋ／（ｊ−ｏｆｓ））
となるように設定すればよい。
【００３９】
Ａ／Ｄ変換器３５のダイナミックレンジをある範囲になるように増幅器３３のオフセットおよびゲインを調整すると、オフセット調整量によってはシェーデイング補正で問題が発生することがあるので、フルレンジ読取時の白補正データ、黒補正データに基づいて、調整後の黒補正データ、白補正データを生成するようにする。
【００４０】
フルレンジ読取時の白基準データをＷ、黒基準データをＢ、本スキャン時の白基準データをｗ、黒基準データをｂとすると、図８に示すような関係になるので、
ｗ＝（Ｗ−ｏｆｓ）×ｇ
ｂ＝（Ｂ−ｏｆｓ）×ｇ
として、本スキャン時の白基準データ及び黒基準データを得ることができる。
但し、Ａ／Ｄ変換器３５のビット数をｎとすると、
ｂ＜０，ｗ＞２ｎ
になる可能性があるので、シェーデイング補正からγ変換を終了するまでの行程の間、シェーデイング補正部３７とγ変換部１７のデータビット数を１ビットないし２ビットだけ増やして処理する必要がある。
【００４１】
このように、第３の実施の形態に加えて、プリスキャン時に得られた画像データのヒストグラムに基づいて、光学濃度ＯＤの最大値を制限値として設定し、かつ、最大値と最小値に基づいて、Ａ／Ｄ変換のダイナミックレンジを拡張しているので、ユーザによる指定を省いて、階調性を向上することができ、ノイズの発生が少ない状態で高速読取を行うことができる。
【００４２】
【発明の効果】
以上、説明したように、請求項１記載の本発明によれば、イメージセンサにより読取られた原稿の光学濃度ＯＤを絞り、光電変換時のゲインを調節して読取速度を可変にすることができる。この結果、ユーザが指定した読取速度に従って、光学濃度ＯＤを制限して原稿を読取ことができ、ノイズの発生が少ない高速読取を行うことができる。
【００４３】
請求項２記載の画像読取装置によれば、実質的なＡ／Ｄ変換時のダイナミックレンジを拡張して、Ａ／Ｄ変換時の階調分解能を向上するので、連続階調変化（グラデーシヨン）領域に対して擬輪郭が発生することを抑制することができる。この結果、光学濃度ＯＤの制限に対応したＡ／Ｄ変換時のダイナミックレンジを拡張でき、階調性の向上したノイズの発生が少ない状態で高速読取を行うことができる。
【００４４】
請求項３記載の画像読取装置によれば、プリスキャン時に得られたヒストグラム中の高濃度領域の光学濃度に基づいて、原稿の読取速度を可変になるように制御することで、ユーザによる読取速度の指定を省くことができ、高速読取を行うことができる。
【００４５】
請求項４記載の画像読取装度置によれば、プリスキャン時に得られた画像データのヒストグラムに基づいて、光学濃度ＯＤの制限すべきオフセットを判別して増幅器に自動設定できるので、ユーザによる読取速度の指定を省くことができ、ノイズの発生が少ない状態で高速読取を行うことができる。
【００４６】
請求項５記載の画像読取装置によれば、プリスキャン時に得られた画像データのヒストグラムに基づいて、光学濃度ＯＤの最大値を制限値として設定し、かつ、最大値と最小値に基づいて、Ａ／Ｄ変換のダイナミックレンジを拡張しているので、ユーザによる指定を省いて、階調性を向上することができ、ノイズの発生が少ない状態で高速読取を行うことができる。
【図面の簡単な説明】
【図１】本発明の第１の実施の形態に係る画像読取装置１の構成を示す図である。
【図２】画像読取装置１の動作を説明するための図である。
【図３】本発明の第２の実施の形態に係る画像読取装置２１の構成を示す図である。
【図４】増幅器３３に設定されるオフセット及びゲインを表す図である。
【図５】本発明の第３の実施の形態に係る画像読取装置３１の構成を示す図である。
【図６】プリスキャン時に得られる画像データに基づいて生成された原稿３の読取濃度のヒストグラムを表す図である。
【図７】プリスキャン時に得られる画像データに基づいて生成された原稿３の読取濃度のヒストグラムとして、文字・線画像（イ）を含むことを表す図である。
【図８】増幅器３３に設定されるオフセット及びゲインを表す図である。
【符号の説明】
１，２１，３１  画像読取装置
３  原稿
５  光源部
７  イメージセンサ
９  走行制御部
１１  増幅器
１３  Ａ／Ｄ変換器
１５  シェーディング補正部
１７  γ変換部
１９  操作部
２１  スキャナ制御部
３３  増幅器
３５  Ａ／Ｄ変換器
３７  シェーディング補正部
３９  スキャナ制御部
５３  ヒストグラム記憶部
【図１】
0003641365.tif 000002
【図２】
0003641365.tif 000003
【図３】
0003641365.tif 000004
【図４】
0003641365.tif 000005
【図５】
0003641365.tif 000006
【図６】
0003641365.tif 000007
【図７】
0003641365.tif 000008
【図８】
0003641365.tif 000009